(57)【特許請求の範囲】
【請求項１】
本体上と本体下を結合して構成した掃除機本体と、前記本体下に形成した集塵室と、集塵室の上方開口部を開閉する集塵室蓋と、本体上下の結合部を覆うように取り付けられ外部からの衝撃を吸収するためのクッション部と、集塵室の開口縁に取り付けられ集塵室の開口縁と集塵室蓋間の全周囲のエアタイトを行う弾性体からなるパッキンとを具備し、前記パッキンとクッション部をアーム部で一体的に連結させ、このアーム部はパッキンの一部に連結するとともに前記本体下の集塵室を形成する壁と本体下の外壁との間の間隔より長い寸法として伸縮自在とすることにより前記集塵室の開口縁と本体上下の分割ラインとの位置関係を吸収する電気掃除機。
【請求項２】
クッション部に本体下との係合部を少なくとも２カ所設けた請求項１記載の電気掃除機。
【発明の詳細な説明】
【０００１】
【発明の属する技術分野】
本発明は、集塵室のエアータイトを兼ねた電気掃除機のバンパーに関するものである。
【０００２】
【従来の技術】
従来の電気掃除機を図８，図９を用いて説明する。
【０００３】
図８に示すように、掃除機本体１１の前部に構成した集塵室１０は本体下１１と集塵室蓋１２とで形成され、また、本体下１１に取り付けたバンパー１３の一部で本体下１１と集塵室蓋１２の接合部のエアタイトがなされていた。前記バンパー１３は、図９のように外部に露出したクッション部１４と上記エアタイトをなすパッキン１５と両者を一体的につなぐ連結部１６で構成され、本体１１の外周縁１１ａ並びに集塵室１０の開口縁１０ａに固着されていた。
【０００４】
【発明が解決しようとする課題】
バンパー１３のクッション部１４と、バンパー取り付け部との位置関係がタイトに固定されており、従来の電気掃除機にあっては、本体形状が変わり、集塵室の開口縁１０ａと本体上下の分割ラインが変わると、バンパー１３が合わなくなり、その都度その形状に合わせバンパー１３を新規に形成しなければならなかった。
【０００５】
本発明は、以上のような従来の課題を解決しようというものであって、特に本体下に集塵室壁を設けたタイプにおいて、バンパーの共用化を図り、安価な電気掃除機を提供することを目的としている。
【０００６】
【課題を解決するための手段】
上記目的を達成するために本発明は、本体上と本体下を結合して構成した掃除機本体と、前記本体下に形成した集塵室と、集塵室の上方開口部を開閉する集塵室蓋と、本体上下の結合部を覆うように取り付けられ外部からの衝撃を吸収するためのクッション部と、集塵室の開口縁に取り付けられ集塵室の開口縁と集塵室蓋間の全周囲のエアタイトを行う弾性体からなるパッキンとを具備し、前記パッキンとクッション部をアーム部で一体的に連結させ、このアーム部はパッキンの一部に連結するとともに前記本体下の集塵室を形成する壁と本体下の外壁との間の間隔より長い寸法として伸縮自在とすることにより前記集塵室の開口縁と本体上下の分割ラインとの位置関係を吸収する構成としてあり、集塵室の開口縁と本体上下の分割ラインが変わり、パッキンとクッション部との位置関係が変わったとしても、このアーム部がその位置の違いを吸収し、多少本体形状が変わっても同一のバンパーを共用化することができる。
【０００７】
【発明の実施の形態】
本発明の請求項１記載の発明によれば、本体上と本体下を結合して構成した掃除機本体と、前記本体下に形成した集塵室と、集塵室の上方開口部を開閉する集塵室蓋と、本体上下の結合部を覆うように取り付けられ外部からの衝撃を吸収するためのクッション部と、集塵室の開口縁に取り付けられ集塵室の開口縁と集塵室蓋間の全周囲のエアタイトを行う弾性体からなるパッキンとを具備し、前記パッキンとクッション部をアーム部で一体的に連結させ、このアーム部はパッキンの一部に連結するとともに前記本体下の集塵室を形成する壁と本体下の外壁との間の間隔より長い寸法として伸縮自在とすることにより前記集塵室の開口縁と本体上下の分割ラインとの位置関係を吸収する構成としてあり集塵室の開口縁と本体上下の分割ラインが変わり、パッキンとクッション部との位置関係が変わったとしても、このアーム部がその位置の違いを吸収し、多少本体形状が変わっても同一のバンパーを共用化することができる。
【０００８】
本発明の請求項２記載の発明によれば、上記請求項１においてクッション部に本体下との係合部を少なくとも２カ所設けたことにより、本体下の幅が大きいときはクッション部の外側で係合させ、本体下の幅が狭いときはクッション部の内側で係合させることができる。この様に、本体下の幅が異なる場合においても同一のバンパーで対応することができる。
【０００９】
【実施例】
（実施例１）
以下、本発明の第１の実施例を、図１〜６を用いて説明する。
【００１０】
図１において、１は本体下であり、本体上２と結合して掃除機の本体を構成する。本体は、吸引用の電動送風機（図示せず）を後部に配置し、その前部には集塵室蓋４で覆われた集塵室５を設けている。この集塵室蓋４は、本体上２に後方を軸支されて開閉自在となっている。また、前記本体上２，本体下１と集塵室蓋４との接合部は弾性体からなるバンパー６を介して結合されている。
【００１１】
次に、バンパー６の詳細について図２および図３を用いて説明する。バンパー６は、本体外部に露出し衝撃を吸収するためのクッション部７と、本体下１の集塵室５の開口縁５ａに取り付けられ、集塵室５と集塵室蓋４との間のエアタイトを行うパッキン８と、前記パッキン８とクッション部７とをつなぎ、かつ、本体上２，本体下１の外郭間で挟持されたときに、クッション部７の位置決めを行うための柔軟性を持ったアーム部９とで構成している。特に、このアーム部９を薄肉にし伸縮自在にすることで、パッキン８とクッション部７との間に柔軟性を持たせている。
【００１２】
上記構成による作用は以下の通りである。
【００１３】
電動送風機の吸引により集塵室５内の圧力が下がり、集塵室蓋４も内側へと吸引される。したがって、パッキン８は集塵室蓋４の下縁４ａの押圧で圧縮され、その反力でパッキン８と本体下１および集塵室蓋４は、より確実にエアタイトされる。また、本体外部に露出されたクッション部７は、本体上下の結合時の干渉材としての働きを持つとともに、本体が壁に当たった時に衝撃吸収材として機能している。そして、アーム部９は、肉厚を薄くし、パッキン８とクッション部７との間に柔軟性を持たせているので、集塵室５の開口縁と本体上下の分割ラインが変わり、パッキン８とクッション部７との位置関係が変わった場合でも、本体上２，本体下１を結合する際に、この柔軟性のあるアーム部９がその位置の違いを吸収し、本体上下の分割ラインに合わせ固定される。したがって、本体形状が多少異なっても同一のバンパー６を取り付けることができる。
【００１４】
ここでは、アーム部に伸縮性を持たせるためにアーム部９の肉厚を薄くしたが、アーム部に伸縮性を持たせ、かつクッション部をしっかりと本体に固定するために図４のようにアーム部９の幅を帯状に広げクッション部の端から端まで設けたり、あるいは図５のように部分的に複数のアーム部９を設けたり、また図６のようにアーム部を長くし、たるませた状態で固定しても同様の効果を得ることは云うまでもない。
【００１５】
（実施例２）
次に本発明の第２の実施例を、図７を用いて説明する。なお上記第１の実施例と同一構成部品については同一符号を付して、その説明を省略する。
【００１６】
電気掃除機のバンパー構成において、本体外部に露出し衝撃を吸収するためのクッション部７と、本体下１の集塵室５の開口縁５ａに取り付け集塵室５と集塵室蓋４との間のエアタイトを行うパッキン８と、前記パッキン８とクッション部７とをつなぎ、かつ、本体上２，本体下１の外郭間で挟持されたときに、クッション部７の位置決めを行うための柔軟性を持ったアーム部９とで構成している。さらに、前記クッション部７に本体下１との係合用に第１係合部７ａ，第２係合部７ｂを設けたことである。
【００１７】
上記構成による作用は以下の通りである。
【００１８】
本体下１の幅が広いときはクッション部７の外側の第２係合部７ｂを本体下１の開口縁１ａに係合させ、本体下１の幅が狭いときはクッション部７の内側の第１係合部７ａを本体下１の開口縁１ａに係合させることができる。この様に、本体下１の幅が異なる場合においても同一のバンパー６で対応することができる。また、本体下１とクッション部７との係合位置によってクッション部７の露出する部分が変わり、同一のバンパー６でありながらデザイン的にも変化を付けることができる。
【００１９】
また、本発明におけるバンパー６は、本体下側のみに複数の係合部を設けたが、本体上側、あるいは本体上下両方に複数の係合部を設けた形状のバンパー６についても容易に推測できるものである。
【００２０】
【発明の効果】
本発明の請求項１記載の発明によれば、パッキンとクッション部を伸縮自在のアーム部で一体的に連結し、パッキンとクッション部との間に柔軟性を持たせたことにより、集塵室の開口縁と本体上下の分割ラインが変わり、パッキンとクッション部との位置関係が変わった場合でも、本体上下を結合する際に、この柔軟性のあるアーム部がその位置の違いを吸収し、本体上下の分割ラインに合わせ固定させることができる。したがって、本体形状が多少異なっても同一のバンパーを取り付けることができる。
【００２１】
本発明の請求項２記載の発明によれば、上記バンパーのクッション部において本体下との係合部を少なくとも２カ所設けることにより、本体下の幅が広いときはクッション部の外側で係合させ、本体下の幅が狭いときはクッション部の内側で係合させることができる。したがって、本体下の幅が異なる場合においても同一のバンパーで対応することができる。また、本体下とクッション部との係合位置によってクッション部の露出する部分が変わり、同一のバンパーでありながらデザイン的にも変化を付けることができ、多機種にわたり同一のバンパーを共用化することができ、安価な電気掃除機を提供することができるものである。
【図面の簡単な説明】
【図１】  本発明の第１の実施例を示す電気掃除機の全体斜視図
【図２】  同電気掃除機の要部断面図
【図３】  同電気掃除機のバンパー斜視図
【図４】  他のバンパーの例を示す斜視図
【図５】  他のバンパーの例を示す斜視図
【図６】  他のバンパーの例を示す斜視図
【図７】  （ａ）本発明の第２の実施例を示す電気掃除機の要部断面図
（ｂ）同電気掃除機の他の組立例を示す要部断面図
【図８】  従来の電気掃除機を示す全体斜視図
【図９】  同電気掃除機の要部断面図
【符号の説明】
１  本体下
２  本体上
４  集塵室蓋
５  集塵室
６  バンパー
７  クッション部
８  パッキン
９  アーム部
【図１】
0003794095.tif 000002
【図２】
0003794095.tif 000003
【図３】
0003794095.tif 000004
【図４】
0003794095.tif 000005
【図５】
0003794095.tif 000006
【図６】
0003794095.tif 000007
【図７】
0003794095.tif 000008
【図８】
0003794095.tif 000009
【図９】
0003794095.tif 000010